(57)【特許請求の範囲】
【請求項１】
地中において玉葱などの農作物の根を切断する切断装置であって、この切断装置は、走行車体又はこの走行車体に牽引される作業部に、車幅方向へ移動可能に設けられている左ブラケット及び右ブラケットと、これらのブラケットの下端に開けられ刃を収納する凹部と、これらの凹部に収納されるナイフと、前記凹部を塞ぐことで前記ナイフを前記左右のブラケットに固定する蓋体と、前記左右のブラケットの下部前面を保護するプロテクト部材とからなることを特徴とする農作物の切断装置。
【請求項２】
前記蓋体と前記プロテクト部材とは、一体化され、このような一体化部品の形態で前記ブラケットに着脱可能に取付けられていることを特徴とする請求項１記載の農作物の切断装置。
【請求項３】
地中において玉葱などの農作物の根を切断する切断装置であって、この切断装置は、走行車体又はこの走行車体に牽引される作業部に、車幅方向へ移動可能に設けられている左ブラケット及び右ブラケットと、これらのブラケットの下部に開けられた刃通し穴と、これらの刃通し穴を貫通する形態で前記左右のブラケットに支持されるナイフと、このナイフを前記左右のブラケットに固定する固定具と、前記左右のブラケットの下部前面を保護するプロテクト部材とからなることを特徴とする農作物の切断装置。
【請求項４】
前記プロテクト部材は、前記ブラケットの下部前面から下面をカバーするＬ字形を呈する部品であって、前記ブラケットに着脱可能に取付けられていることを特徴とする請求項３記載の農作物の切断装置。
【請求項５】
前記プロテクト部材には、土を掻き分ける部位に縦に延びる刃部が設けられ、この刃部に焼入れが施されていることを特徴とする請求項１〜４のいずれか１項記載の農作物の切断装置。
【発明の詳細な説明】
【技術分野】
【０００１】
本発明は、地中において玉葱などの農作物の根を切断する切断装置に関する。
【背景技術】
【０００２】
農作物には、種まき（又は苗植え）から収穫までに多様の世話を施す必要がある。この世話は、農作業では管理と呼ばれる。この管理に、地中において玉葱などの農作物の根を切断する作業が含まれる。
玉葱の根切り作業を、効率よく行う技術が提案されている（例えば、特許文献１参照。）。
【特許文献１】実公平４−４４９５号公報（第１図）
【０００３】
特許文献１を次図に基づいて説明する。
図７は従来の玉葱の根切り作業機の側面図であり、玉葱の根切り作業機１００は、後輪１０１及び前輪１０２を備えた乗用四輪型の走行車体１０３の前部に、昇降リンク１０４を介してブラケット１０５を設け、このブラケット１０５に玉葱の葉や茎を掻き分ける葉分け器１０６及び前部補助輪１０７を備えている。さらには、ブラケット１０５からサブブラケット１０８を下へ延ばし、このサブブラケット１０８にナイフ１１０が設けられている。
【０００４】
図８は従来のナイフの斜視図であり、ナイフ１１０は、水平帯板部１１１と、この水平帯板部１１１の両端から各々上へ延ばした縦帯板部１１２、１１３とからなる。
図９は図８の９−９線断面図であり、水平帯板部１１１には第１の刃１１４と第２の刃１１５が設けられている。これらの刃１１４、１１５には、焼入れを施す。１１６、１１６は焼入れ層である。焼入れ層１１６、１１６があるため、硬度が高まる。第１の刃１１４又は第２の刃１１５は、石などの硬いものに当たっても刃が欠ける心配はない。
【０００５】
図１０は従来のナイフの使用形態を説明する図であり、（ａ）、（ｂ）に、ナイフ１１０Ｂ、１１０Ｃで複数の玉葱１２１の根を切断する様子が示される。
（ａ）に示すように、玉葱１２１が、畝間Ｌ１で植えられている。Ｌ１は例えば、３００ｍｍである。縦帯板部１１２、１１３は玉葱１２１と玉葱１２１との中間に配置する必要がある。そのため、ナイフ１１０Ｂの幅は、Ｌ１の３倍に相当する９００ｍｍに設定される。
【０００６】
一方、苗植機の都合で、（ｂ）に示すように、玉葱１２１の畝間が狭いＬ２となることがある。Ｌ２は例えば、２７０ｍｍである。この場合は、ナイフ１１０Ｃの幅は、Ｌ２の３倍に相当する８１０ｍｍに設定される。
【０００７】
ナイフ１１０は焼きが入っているため、切断し、溶接して幅を９００ｍｍから８１０ｍｍに変更することはできない。溶接熱により焼きが戻ってしまうからである。
したがって、従来は、幅が異なる２種類以上のナイフ１１０Ｂ、１１０Ｃを常備しておく必要があった。これでは、ナイフの調達費用が嵩むと共に倉庫での保管スペースが増大するため、対策が求められている。
【発明の開示】
【発明が解決しようとする課題】
【０００８】
本発明は、幅を自由に変えることのできる切断装置を提供することを課題とする。
【課題を解決するための手段】
【０００９】
請求項１に係る発明は、地中において玉葱などの農作物の根を切断する切断装置であって、この切断装置は、走行車体又はこの走行車体に牽引される作業部に、車幅方向へ移動可能に設けられている左ブラケット及び右ブラケットと、これらのブラケットの下端に開けられ刃を収納する凹部と、これらの凹部に収納されるナイフと、前記凹部を塞ぐことで前記ナイフを前記左右のブラケットに固定する蓋体と、前記左右のブラケットの下部前面を保護するプロテクト部材とからなることを特徴とする。
【００１０】
請求項２に係る発明では、蓋体と前記プロテクト部材とは、一体化され、このような一体化部品の形態でブラケットに着脱可能に取付けられていることを特徴とする。
【００１１】
請求項３に係る発明は、地中において玉葱などの農作物の根を切断する切断装置であって、この切断装置は、走行車体又はこの走行車体に牽引される作業部に、車幅方向へ移動可能に設けられている左ブラケット及び右ブラケットと、これらのブラケットの下部に開けられた刃通し穴と、これらの刃通し穴を貫通する形態で前記左右のブラケットに支持されるナイフと、このナイフを前記左右のブラケットに固定する固定具と、前記左右のブラケットの下部前面を保護するプロテクト部材とからなることを特徴とする。
【００１２】
請求項４に係る発明は、プロテクト部材は、ブラケットの下部前面から下面をカバーするＬ字形を呈する部品であって、ブラケットに着脱可能に取付けられていることを特徴とする。
【００１３】
請求項５に係る発明は、プロテクト部材には、土を掻き分ける部位に縦に延びる刃部が設けられ、この刃部に焼入れが施されていることを特徴とする。
【発明の効果】
【００１４】
請求項１に係る発明では、ナイフに対して左右のブラケットが車幅方向に移動できる。ナイフは１種類でよい。畝間に合わせて左右のブラケットの位置を変更するだけでよい。
ナイフの調達費用が抑えられると共に倉庫での保管スペースを最小にすることができる。
【００１５】
さらに、請求項１では、プロテクト部材を備えている。このプロテクト部材でブラケットの下部前面が保護されるため、ブラケットは耐摩耗鋼を使用する必要はなく、普通鋼を使用することができる。そのため、ブラケットの材料費、加工費を低減することができる。
【００１６】
請求項２に係る発明では、蓋体とプロテクト部材とは、一体化され、このような一体化部品の形態でブラケットに着脱可能に取付けられている。
Ｌ字形の部品であれば、複数個のボルト穴を容易に開けることができ、ブラケットへの結合性を高めることができる。ブラケットに着脱可能であるから、プロテクト部材を随時新品と交換することができる。
【００１７】
請求項３に係る発明では、請求項１と同様に、ナイフに対して左右のブラケットが車幅方向に移動できる。ナイフは１種類でよい。畝間に合わせて左右のブラケットの位置を変更するだけでよい。
ナイフの調達費用が抑えられると共に倉庫での保管スペースを最小にすることができる。
【００１８】
さらに、請求項３でも、プロテクト部材を備えている。このプロテクト部材でブラケットの下部前面が保護されるため、ブラケットは耐摩耗鋼を使用する必要はなく、普通鋼を使用することができる。そのため、ブラケットの材料費、加工費を低減することができる。
【００１９】
請求項４に係る発明は、プロテクト部材は、ブラケットの下部前面から下面をカバーするＬ字形を呈する部品であって、ブラケットに着脱可能に取付けられていることを特徴とする。
Ｌ字形の部品であれば、複数個のボルト穴を容易に開けることができ、ブラケットへの結合性を高めることができる。ブラケットに着脱可能であるから、プロテクト部材を随時新品と交換することができる。
【００２０】
請求項５に係る発明は、プロテクト部材には、土を掻き分ける部位に縦に延びる刃部が設けられ、この刃部に焼入れが施されていることを特徴とする。
刃部は、船の舳先のように土を左右に分ける作用を発揮し、耕土に対する抵抗を減少させる。加えて、刃部に焼きが入っているため、プロテクト部材は耐久性が高まり、殆ど交換する必要がなくなる。
【発明を実施するための最良の形態】
【００２１】
本発明を実施するための最良の形態を添付図に基づいて以下に説明する。
図１は本発明に係る切断装置の正面図であり、切断装置１０は、走行車体又は走行車体に牽引さえる作業部に車幅方向に水平に渡されているクロスメンバー１１と、このクロスメンバー１１に水平移動可能に取付けられた左筒体１２と、この左筒体１２から一体的に下方へ延びている左ブラケット１３と、クロスメンバー１１に水平移動可能に取付けられた右筒体１４、この右筒体１４から一体的に下方へ延びている右ブラケット１５と、これらの左右のブラケット１３、１５の下部に水平に渡されたナイフ１６と、左右のブラケット１３、１５の下部前面に取付けられているプロテクト部材２０、２０からなる。
【００２２】
図２はブラケットの下部の分解図であり、左右のブラケット１３、１５の下端に、ナイフ１６を収納することができる冨士山型の凹部１７が設けられ、この凹部１７の前方と後方にめねじ部１８、１９が縦向きに設けられている。また、左右のブラケット１３、１５の下部前面にはプロテクト部材２０を収納する切欠部２１が設けられ、この切欠部２１の上部に略水平にめねじ部２２が設けられている。
【００２３】
また、この例では、凹部１７を塞ぐ蓋体２３と、ブラケット１３、１５の下部前面に取付けるプロテクト部材２０とがＬ字形の一体部品で構成されている。蓋体２３にナイフ１６を固定する固定具２４が設けられている。固定具２４は、止めねじの他、クランプでも良い。
【００２４】
凹部１７にナイフ１６を収納し、蓋体２３を当てると共に、プロテクト部材２０をブラケット１３、１５の下部前面に当て、３本のボルト２５でブラケット１３、１５に固定する。
【００２５】
ブラケット１３、１５は、図１に示すように帯板であって、図２の表裏方向における厚さは小さい。そのために、めねじ部２２を、図面表裏方向に複数個設けることはできない。しかし、Ｌ字形の一体部品であれば、長さが稼げるため、複数のめねじ部１８、１９、２１を簡単に設けることができる。
【００２６】
図３は図２の３−３線断面図であり、プロテクト部材２０には尖り先の刃部２６が設けられている。プロテクト部材２０は焼入れが可能なＳ４５Ｃ材で構成される。そのため、刃部２６にはＨＲＣ２０〜３０の硬さの高周波焼入れが施されている。
【００２７】
図４はブラケットの下部の拡大図であり、ＳＳ４００などの普通鋼で構成されるブラケット１３、１５の下部に蓋体２３でナイフ１６が固定され、ブラケット１３、１５の下部前面は、焼入れが施されたプロテクト部材２０で保護されている。
この形態で、ブラケット１３、１５が図左に進み、ナイフ１６が土中の根を切断する。
【００２８】
この際に、耕土がブラケット１３、１５の下部前面に衝突する。ブラケット１３、１５に直接耕土が衝突すると、普通鋼で構成されたブラケット１３、１５は摩耗する心配がある。
本発明では、焼きが入ったプロテクト部材２０に耕土が衝突し、このプロテクト部材２０でブラケット１３、１５を保護するため、普通鋼で構成されたブラケット１３、１５が摩耗する心配はない。
加えて、プロテクト部材２０に縦向きに設けた刃部２６が、船の舳先のように土を左右に分ける作用を発揮し、耕土に対する抵抗を減少させる。
【００２９】
また、蓋体２３とプロテクト部材２０とを別体（別部品）にすることは差し支えないが、本例のように、一体化すると、複数本（例えば３本）のボルト２５を容易に設けることができる。この結果、蓋体２３とプロテクト部材２０とを別々に取付けるよりは、効果的に且つ強固にＬ字形の部品をブラケット１３、１５に、着脱可能に取付けることができる。
【００３０】
以上の構成からなる切断装置の作用を次に述べる。
図５は本発明の係る切断装置の作用を説明する図であり、幅が３×Ｌ１（例えば９００ｍｍ）であったものを３×Ｌ２（例えば８１０ｍｍ）に変更するには、先ず、左筒体１２に付属したロックボルト２８を緩め、左ブラケット１３に付属した固定具２４を緩め、右筒体１４に付属したロックボルト２９を緩め、右ブラケット１５に付属した固定具２４を緩める。
【００３１】
次に、左筒体１２と右筒体１４とが接近するように、左ブラケット１３と右ブラケット１５を車幅方向へ移動する。想像線で示す位置に到達したら、ロックボルト２８、２９を締め、固定具２４、２４を締める。このように、ナイフ１６を切断しないで、左右のブラケット１３、１５の間隔を変更することができる。
【００３２】
ナイフ１６に対して左右のブラケット１３、１５が車幅方向に移動できる。ナイフ１６は１種類でよい。畝間に合わせて左右のブラケット１３、１５の位置を変更するだけでよい。ナイフ１６の調達費用が抑えられると共に倉庫での保管スペースを最小にすることができる。
【００３３】
次に本発明の別実施例を説明する。
図６は図４の変更実施例を説明する図であり、ブラケット１３、１５の下部に台形状の刃通し穴３１を開け、この刃通し穴３１にナイフ１６を収納し、固定具２４で固定するようにしたことが、図４と異なる。固定具２４はブラケット１３、１５の下部に刃通し穴３１に臨むようにブラケット１３、１５に縦向きに設ける。
【００３４】
蓋体は必要がないので、この例では、Ｌ字形の部材が、プロテクト部材２０に該当する。この場合も、Ｌ字形の部材であれば、複数本（例えば３本）のボルト２５を容易に設けることができる。プロテクト部材２０に固定具２４を操作する大径の穴３２を開けることは差し支えない。その他は、図４と同一であるため、図４の符号を流用し、詳細な説明は省略する。
【００３５】
以上の説明から明らかなように、請求項１、２に対応する好適な実施例は、図４で示される。ただし、請求項１では、蓋体２３とプロテクト部材２０とは、別々に設けてもよい。
【００３６】
また、請求項３、４に対応する好適な実施例は、図６で示される。ただし、請求項３では、プロテクト部材２０の形態は、Ｌ字に限るものではなく、レ字形やＩ字形であってもよい。
【００３７】
尚、本発明の切断装置は、玉葱の根の切断作業に好適であるが、ビートなど他の農作物の根の切断作業に供することもできる。また、玉葱の根の切断作業に好適であるが、ビートなど他の農作物の根の切断作業に供することもできる。
【産業上の利用可能性】
【００３８】
本発明の切断装置は、玉葱の根の切断作業に好適である。
【図面の簡単な説明】
【００３９】
【図１】本発明に係る切断装置の正面図である。
【図２】ブラケットの下部の分解図である。
【図３】図２の３−３線断面図である。
【図４】ブラケットの下部の拡大図である。
【図５】本発明の係る切断装置の作用を説明する図である。
【図６】図４の変更実施例を説明する図である。
【図７】従来の玉葱の根切り作業機の側面図である。
【図８】従来のナイフの斜視図である。
【図９】図８の９−９線断面図である。
【図１０】従来のナイフの使用形態を説明する図である。
【符号の説明】
【００４０】
１０…切断装置、１１…走行車体又はこの走行車体に牽引される作業部に渡されたクロスメンバー、１３…左ブラケット、１５…右ブラケット、１６…ナイフ、１７…凹部、２０…プロテクト部材、２３…蓋体、２４…固定具、２６…刃部、３１…刃通し穴。
【図１】
0005038965.tif 000002
【図２】
0005038965.tif 000003
【図３】
0005038965.tif 000004
【図４】
0005038965.tif 000005
【図５】
0005038965.tif 000006
【図６】
0005038965.tif 000007
【図７】
0005038965.tif 000008
【図８】
0005038965.tif 000009
【図９】
0005038965.tif 000010
【図１０】
0005038965.tif 000011